(57)【要約】【課題】表示制御装置において、放送番組表内の設定されたグループの放送番組のセル間でカーソルを移動させる操作を簡単化する。【解決手段】表示制御装置において、下向き矢印キーが操作されたときに、制御回路は、放送番組表内の設定されたグループの番組のセルＣ２’間で、所定の移動順に従って、カーソルＣ１を移動させる。放送番組表内で、設定されたグループの放送番組のセルＣ２’が点在していたとしても、下向き矢印キーを操作するだけで、カーソルＣ１が所定の移動順でそれらのセルＣ２’間を移動する。そのため、カーソルＣ１を移動させるために必要な操作が簡単になる。【選択図】図４
2014107822.tif 000002
【特許請求の範囲】
【請求項１】
表示手段により表示された放送番組表内の放送番組のセル間でカーソルを移動させるための第１の操作手段と、
前記カーソルの移動先となり得る前記放送番組表内の放送番組のグループを設定するための設定手段と、
前記第１の操作手段が操作されたときに、前記設定手段により設定されたグループの放送番組のセル間で、所定の移動順に従って、前記カーソルを移動させる制御手段と、を備える表示制御装置。
【請求項２】
前記放送番組表内の放送番組のセル間でカーソルを移動させるための第２の操作手段をさらに備え、
前記制御手段は、前記第２の操作手段が操作されたときに、前記設定手段により設定されたグループの放送番組のセル間で、前記第１の操作手段による操作時とは逆の順に、前記カーソルを移動させることを特徴とする請求項１に記載の表示制御装置。
【請求項３】
前記移動順は、前記放送番組の放送開始時刻順及び放送チャンネル順に基づいて定められることを特徴とする請求項１又は請求項２に記載の表示制御装置。
【請求項４】
前記移動順は、前記放送番組の放送チャンネル順よりも該放送番組の放送開始時刻順を優先して定められることを特徴とする請求項３に記載の表示制御装置。
【請求項５】
前記設定手段により複数のグループが設定された場合、それらのグループの優先度を設定するための優先度設定手段を備え、
前記制御手段は、前記第１の操作手段が操作されたときに、前記複数のグループにそれぞれ属する複数の放送番組の放送開始時刻が互いに同じである場合、優先度の高いグループの放送番組のセルから優先度の低いグループの放送番組のセルに、前記カーソルを移動させることを特徴とする請求項１乃至請求項４のいずれか一項に記載の表示制御装置。
【請求項６】
前記グループは、予め設定されたジャンルの放送番組のグループであることを特徴とする請求項１乃至請求項５のいずれか一項に記載の表示制御装置。
【発明の詳細な説明】
【技術分野】
【０００１】
本発明は、表示された放送番組表内でカーソルを移動させる表示制御装置に関する。
【背景技術】
【０００２】
従来から、放送番組表と、その放送番組表内の放送番組のセルを選択するためのカーソルとを表示し、その表示した放送番組表内でカーソルを移動させる制御を行う表示制御装置において、リモートコントローラの十字キーによる操作に応じて、放送番組表内でカーソルを上下左右に移動させるものが知られている。この表示制御装置において、所定モードで、十字キーが操作されると、カーソルにより選択中のセルに対応する放送番組とジャンルが共通する放送番組のセル（以下、共通放送番組セル）にのみ、カーソルが移動する。例えば、選択中のセルを基準にして、その左側、下側、右側にそれぞれ共通放送番組セルがある場合、上記モードで十字キーの右キーが押されると、右側に在る共通放送番組セルにカーソルが移動し、十字キーの下キーが押されると、下側に在る共通放送番組セルにカーソルが移動する（例えば、特許文献１を参照）。
【先行技術文献】
【特許文献】
【０００３】
【特許文献１】特開２００５−２２９３６１号公報
【発明の概要】
【発明が解決しようとする課題】
【０００４】
特許文献１に記載のような表示制御装置において、放送番組表上で、選択中のセルと共通放送番組セルとの間に幾つかのセルがあり、選択中のセルと共通放送番組セルとが互いに離れていたとする。そのような場合であっても、カーソルをセル単位で移動させる場合と比べて、上記モードでは、カーソルを共通放送番組セルに移動させるのに必要な操作が少なくなり、操作に要する時間が短くなる。
【０００５】
ところで、上記表示制御装置では、選択中のセルに対応する放送番組と、共通放送番組セルに対応する放送番組とは、ジャンルが共通することから、１つのグループを構成すると言える。選択中のセルを基準として、そのセルに対応する放送番組と同じグループの放送番組のセルが番組表上で例えば右下方に在るとする。その場合、ユーザは、その同じグループのセルにカーソルを移動させるときに、十字キーの右キーを押せばよいのか、十字キーの下キーを押せばよいのか、迷う可能性がある。
【０００６】
本発明は、上記の問題を解決するためになされたものであり、放送番組表内の設定されたグループの放送番組のセル間でカーソルを移動させる操作が簡単になる表示制御装置を提供することを目的とする。
【課題を解決するための手段】
【０００７】
上記目的を達成するために本発明の表示制御装置は、表示手段により表示された放送番組表内の放送番組のセル間でカーソルを移動させるための第１の操作手段と、前記カーソルの移動先となり得る前記放送番組表内の放送番組のグループを設定するための設定手段と、前記第１の操作手段が操作されたときに、前記設定手段により設定されたグループの放送番組のセル間で、所定の移動順に従って、前記カーソルを移動させる制御手段と、を備える。
【０００８】
この構成によれば、放送番組表内で、設定されたグループの放送番組のセルが点在していたとしても、第１の操作手段を操作するだけで、カーソルが所定の移動順にそれらのセル間を移動するので、従来のように十字キーによりカーソルの移動先として上下左右のいずれかの方向を指定しなくて済み、操作が簡単になる。
【０００９】
前記放送番組表内の放送番組のセル間でカーソルを移動させるための第２の操作手段をさらに備え、前記制御手段は、前記第２の操作手段が操作されたときに、前記設定手段により設定されたグループの放送番組のセル間で、前記第１の操作手段による操作時とは逆の順に、前記カーソルを移動させることが好ましい。
【００１０】
この構成によれば、第２の操作手段を操作するだけで、カーソルが第１の操作手段による操作時とは逆の順に移動するので、例えばユーザが第１の操作手段の操作によりカーソルを誤って移動させてしまった場合であっても、簡単な操作でカーソルを元の位置に戻すことができ、便利である。
【００１１】
前記移動順は、前記放送番組の放送開始時刻順及び放送チャンネル順に基づいて定められることが好ましい。
【００１２】
この構成によれば、カーソルは、放送番組の放送開始時刻順及び放送チャンネル順に従って、放送番組表内の放送番組のセル間を移動する。従って、例えば放送番組表が放送番組の放送開始時刻順及び放送チャンネル順に応じて放送番組のセルを順番に配置したものである場合、カーソルは、ユーザがカーソルを目で追い易い順番で放送番組表内を移動することになる。そのため、使い勝手が良くなる。
【００１３】
前記移動順は、前記放送番組の放送チャンネル順よりも該放送番組の放送開始時刻順を優先して定められることが好ましい。
【００１４】
この構成によれば、カーソルは、放送番組の放送チャンネル順よりも放送番組の放送開始時刻順に優先的に従って、放送番組のセル間を移動する。従って、この移動順は、放送チャンネル順よりも放送開始時刻順を優先して放送番組の情報を確認しようとするユーザの一般的な使い方と合致する。そのため、利便性が高くなる。
【００１５】
前記設定手段により複数のグループが設定された場合、それらのグループの優先度を設定するための優先度設定手段を備え、前記制御手段は、前記第１の操作手段が操作されたときに、前記複数のグループにそれぞれ属する複数の放送番組の放送開始時刻が互いに同じである場合、優先度の高いグループの放送番組のセルから優先度の低いグループの放送番組のセルに、前記カーソルを移動させることが好ましい。
【００１６】
この構成によれば、複数の設定グループにそれぞれ属する複数の放送番組の放送開始時刻が互いに同じである場合、カーソルは、それらの放送番組のセルのうち、優先度の高いグループの番組のセルに先に移動するので、使い勝手がよくなる。
【００１７】
前記グループは、予め設定されたジャンルの放送番組のグループであることが好ましい。
【００１８】
この構成によれば、簡単な操作により、放送番組表内の設定されたジャンルの放送番組のセルだけにカーソルを移動させることができる。
【発明の効果】
【００１９】
本発明によれば、設定されたグループの放送番組のセル間でカーソルを移動させる操作が簡単になる。
【図面の簡単な説明】
【００２０】
【図１】本発明の一実施形態に係る表示制御装置の構成を示すブロック図。
【図２】上記表示制御装置における番組表表示時の表示画面を示す図。
【図３】上記表示制御装置におけるカーソルの移動制御処理の手順を示すフローチャート。
【図４】上記カーソルの移動先及び移動順を示す図。
【図５】上記カーソルの移動先決定処理の手順を示すフローチャート。
【図６】上記実施形態の第１の変形例に係る表示制御装置におけるカーソルの移動制御処理の手順を示すフローチャート。
【図７】上記カーソルの移動順を示す図。
【図８】上記実施形態の第２の変形例に係る表示制御装置の選局キーの構成を示す図。
【図９】上記表示制御装置における番組表の表示範囲変更処理の手順を示すフローチャート。
【図１０】上記番組表の表示範囲の一例を示す図。
【図１１】（ａ）は上記番組表の表示範囲の一変更例を示す図、（ｂ）は上記とは別の変更例を示す図。
【図１２】上記実施形態の第３の変形例に係る表示制御装置における番組表の表示範囲変更処理の手順を示すフローチャート。
【図１３】上記実施形態の第４の変形例に係る表示制御装置における番組表の表示範囲変更処理の手順を示すフローチャート。
【図１４】上記とは別の変形例に係る表示制御装置における番組表の表示形態を示す図。
【図１５】上記とはさらに別の変形例に係る表示制御装置における番組表の表示形態を示す図。
【発明を実施するための形態】
【００２１】
本発明の一実施形態に係る表示制御装置について図面を参照して説明する。図１は、本実施形態の表示制御装置の構成を示す。その表示制御装置１は、表示機能を備えた装置本体２と、装置本体２を遠隔に操作するためのリモートコントローラ（以下、リモコンという）３とを備え、テレビジョン受像機に適用される。装置本体２は、その表示機能により、テレビジョン放送番組（以下、単に番組という）の映像、番組の電子放送番組表（以下、単に番組表という）、及びカーソルを表示する。このカーソルは、番組表内の放送番組のセル間を移動可能とされている。
【００２２】
装置本体２は、アンテナ２０を介してテレビジョン放送信号を受信するチューナ２１と、その受信されたテレビジョン放送信号を復調する復調回路２２と、その復調された放送信号から番組の映像信号、音声信号及びデータ信号を分離する分離回路２３を有する。また、装置本体２は、分離回路２３により分離された各信号を復号化するデコーダ２４と、その復号化された映像信号及びデータ信号のそれぞれに基づいて番組の映像及び番組表を表示するディスプレイ２５（表示手段）と、上記復号化された音声信号に基づいて番組の音声を出力するスピーカ２６とを備える。ディスプレイ２５は、番組表の表示時に、上記カーソルも表示する。
【００２３】
また、装置本体２は、リモコン３から赤外線で送信される操作信号を受信する受信回路２７と、その受信された操作信号に基づいて装置本体２内の上記各回路を制御する制御回路２８（制御手段）と、タイマ２９とを備える。制御回路２８は、チューナ２１の受信チャンネルの選局制御、ディスプレイ２５の表示制御、及びスピーカ２６の音声出力制御を行う。また、制御回路２８は、番組の予約視聴機能及び予約録画機能を有する。予約視聴機能により、制御回路２８は、タイマ２９を用いて計時しつつ、リモコン３により視聴を予約された番組の映像表示及び音声出力を自動的にリアルタイムで実行する。予約録画機能により、制御回路２８は、タイマ２９を用いて計時しつつ、リモコン３により録画を予約された番組の映像信号及び音声信号を、装置本体２に搭載された記憶媒体又は外部の記憶機器に自動的に記憶させる。
【００２４】
リモコン３は、操作キー３１と、操作キー３１による操作の内容を示す操作信号を生成する制御回路３２と、その生成された操作信号を赤外線で装置本体２に送信する送信回路３３とを有する。
【００２５】
操作キー３１は、チューナ２１の受信チャンネルを選局するための選局キー３１ａと、ディスプレイ２５に番組表を表示させる操作を行うための番組表キー３１ｂとを含む。また、操作キー３１は、ディスプレイ２５により表示されるカーソルを移動させ、そのカーソルにより番組表内の番組のセル等を選択するためのカーソルキー３１ｃ（設定手段を構成）と、カーソルキー３１ｃによる選択内容を決定するための決定キー３１ｄ（設定手段を構成）と、ディスプレイ２５の表示を切り替えた後にその表示を元に戻すためのバックキー３１ｅとを含む。カーソルキー３１ｃは、ディスプレイ２５の表示画面上でカーソルを上方、下方、左方及び右方のそれぞれに移動させるための上向き矢印キー３１ｆ（第２の操作手段）、下向き矢印キー３１ｇ（第１の操作手段）、左向き矢印キー３１ｈ及び右向き矢印キー３１ｉにより構成される。後述するが、カーソルキー３１ｃ及び決定キー３１ｄは、その操作により、カーソルの移動先となり得る番組表内のセルに対応する番組のグループ（以下、単にグループという）を設定可能とされている。
【００２６】
図２は、ディスプレイ２５における番組表表示時の表示画面２５ａを示す。番組表キー３１ｂが操作されると、制御回路２８は、ディスプレイ２５に、図示のような番組表Ｔ１を表示させる。このとき、制御回路２８は、番組表Ｔ１に加え、カーソルＣ１と、サブメニューアイコンＭ１とをディスプレイ２５に表示させる。以下、番組表Ｔ１、カーソルＣ１及びサブメニューアイコンＭ１を番組表Ｔ１等という。
【００２７】
番組表Ｔ１は、縦軸（行に相当）に時刻を示し、横軸（列に相当）に番組の放送チャンネル（以下、単にチャンネルという）を示す。番組表Ｔ１は、番組毎に区分けされた複数のセルＣ２により構成される。それらのセルＣ２は、それぞれ、チャンネル毎に、セルＣ２に対応する番組の放送開始時刻及び放送終了時刻に応じた位置及び大きさである。また、それらのセルＣ２は、それぞれ、枠線により囲われ、その枠線の中に、セルＣ２に対応する番組の番組名及び内容等の情報が表示される。各セルＣ２は、各セルＣ２に対応する番組の放送開始時刻が遅いほど、番組表Ｔ１の下方に、また、その番組のチャンネルが大きいほど、番組表Ｔ１の右方に表示される。これにより、番組表Ｔ１は、番組の放送開始時刻順及び放送チャンネル順に応じて番組のセルＣ２が順番に配置されたものとなる。
【００２８】
次に、制御回路２８における各種制御処理の内容を説明する。
（予約視聴制御処理及び予約録画制御処理）
制御回路２８における番組の予約視聴制御処理及び予約録画制御処理について上記図２を再び参照して説明する。番組表Ｔ１等がディスプレイ２５に表示された状態で、カーソルキー３１ｃが操作されたとする。そのとき、制御回路２８は、その操作に応じてカーソルＣ１を移動させる。カーソルＣ１により番組表Ｔ１内の番組のセルＣ２が選択され、その状態で決定キー３１ｄが操作されると、制御回路２８は、メニュー（図示せず）をディスプレイ２５に表示させる。そのメニューには、カーソルＣ１による選択対象のセルＣ２に対応する番組（以下、選択対象の番組という）への制御内容として、予約視聴及び予約録画が表示される。カーソルキー３１ｃが操作され、それらの制御内容のうち、いずれかがカーソルＣ１により選択され、その状態で決定キー３１ｄが操作されたとする。そのとき、制御回路２８は、選択された内容の制御を、選択対象の番組に対して実行する。
【００２９】
（カーソルの移動制御処理）
図３は、制御回路２８におけるカーソルＣ１の移動制御処理の手順を示し、図４は、番組表Ｔ１上のカーソルＣ１の移動先及び移動順を示す。図４におけるセルＣ２内の数字は、カーソルＣ１の移動順を示す。ここで、番組表Ｔ１等がディスプレイ２５に表示されているとする。そして、カーソルＣ１がカーソルキー３１ｃによる操作に応じてサブメニューアイコンＭ１に移動し、その状態で決定キー３１ｄが操作され、このようにしてサブメニューの選択操作がなされたとする（Ｓ１０１でＹｅｓ）。そのとき、制御回路２８は、ディスプレイ２５に、サブメニューとしてのグループリストを表示する（Ｓ１０２）。そのグループリストには、録画予約された番組のグループ、視聴予約された番組のグループ、及び予め設定されたジャンルの番組のグループが列挙される。これらのグループは、番組表Ｔ１内でカーソルＣ１の移動先となり得るセルに対応する番組のグループであって、そのようなグループは、上記３グループに限定されず、例えば上記３グループのうちの１又は２グループであってもよい。上記ジャンルの設定は、リモコン３の操作により可能とされている。
【００３０】
カーソルＣ１がカーソルキー３１ｃによる操作に応じて移動し、カーソルＣ１により、上記グループリストの中から、いずれかのグループが選択されたとする。そして、その状態で、決定キー３１ｄが操作され、その選択が設定されたとする（Ｓ１０３でＹｅｓ）。そのとき、制御回路２８は、ディスプレイ２５におけるサブメニューの表示を終了し、設定されたグループ（以下、設定グループという）の番組のセルＣ２’の表示形態を、他の番組のセルＣ２とは異なる表示形態に変更する（Ｓ１０４）。その表示形態としては、図示のような他の番組のセルＣ２とは異なる色での表示が挙げられる。制御回路２８は、設定グループに属する番組のセルＣ２’のうち、放送開始時刻が最も早い番組のセルＣ２’にカーソルＣ１を配置する（Ｓ１０５）。
【００３１】
この状態で、下向き矢印キー３１ｇが操作されたとする（Ｓ１０６でＹｅｓ）。また、カーソルＣ１が、設定グループに属する番組のセルＣ２’のうち、放送開始時刻が最も遅い番組のセルＣ２’にはないとする（Ｓ１０７でＮｏ）。そのとき、制御回路２８は、設定グループの番組のセルＣ２間で、所定の移動順に従って、カーソルＣ１を移動させる（Ｓ１０８）。その移動順は、設定グループに属する番組の放送開始時刻順及びチャンネル順に基づいて定められる。詳しくは、上記移動順は、放送開始時刻の昇順及びチャンネルの昇順に基づいて定められ、それらの順番通りとされている。また、上記移動順は、番組のチャンネル順よりも番組の放送開始時刻順を優先して定められる。カーソルＣ１は、下向き矢印キー３１ｇが１回操作される毎に、設定グループに属する次の番組のセルＣ２’に移動する。番組表Ｔ１の表示範囲に、設定グループの次の番組のセルＣ２’が無い場合、表示範囲は、次の時間帯にシフトされる。
【００３２】
一方、上向き矢印キー３１ｆが操作されたとする（Ｓ１０９でＹｅｓ）。また、カーソルＣ１が、設定グループに属する番組のセルＣ２’のうち、放送開始時刻が最も早い番組のセルＣ２’にはないとする（Ｓ１１０でＮｏ）。そのとき、制御回路２８は、設定されたグループの番組のセルＣ２’間で、上向き矢印キー３１ｆによる操作時とは逆の順に、カーソルＣ１を移動させる（Ｓ１１１）。カーソルＣ１は、下向き矢印キー３１ｇが１回操作される毎に、設定グループに属する一つ前の番組のセルＣ２’に移動する。
【００３３】
（カーソルの移動先決定処理）
図５は、下向き矢印キー３１ｇによる操作時のカーソル移動先決定処理の手順を示す。下向き矢印キー３１ｇが操作されたとする（Ｓ２０１でＹｅｓ）。そのとき、制御回路２８は、基準チャンネルＣｓ＝カーソルＣ１による選択対象の番組のチャンネルとし（Ｓ２０２）、基準時刻Ｔｓ＝上記番組の放送開始時刻とする（Ｓ２０３）。ここで、検索対象のチャンネルをｃ１とする。制御回路２８は、ｃ１＝カーソルＣ１による選択対象の番組のチャンネルとする（Ｓ２０４）。
【００３４】
ｃ１＝チューナ２１により受信可能な最大チャンネル（以下、単に最大チャンネルという）ではない場合（Ｓ２０５でＮｏ）、制御回路２８は、ｃ１をインクリメントし（Ｓ２０６）、チャンネルがｃ１であって放送開始時刻がＴｓであり、かつ設定グループに属する番組があるか否かを判別する。そのような番組がある場合（Ｓ２０７でＹｅｓ）、制御回路２８は、その番組に対応するセルＣ２’にカーソルＣ１を移動させ、その番組をカーソルＣ１により選択する（Ｓ２０８）。上記のような番組がない場合（Ｓ２０７でＮｏ）、Ｓ２０５の処理に戻る。
【００３５】
一方、ｃ１＝最大チャンネルであったとする（Ｓ２０５でＹｅｓ）。ここで、検索対象の時刻をｔ１とする。制御回路２８は、基準チャンネルＣｓの番組であって、選択対象の番組の次に放送が開始される番組の放送開始時刻を検出し、ｔ１＝検出された放送開始時刻とする（Ｓ２０９）。制御回路２８は、ｃ１＝Ｃｓとし（Ｓ２１０）、このときのｃ１を、次の基準チャンネル候補としてメモリに記憶する（Ｓ２１１）。そして、改めて、再度、ｃ１が最大チャンネルと等しいか否かが判断される。ｃ１が最大チャンネルでなければ（Ｓ２１２でＮｏ）、制御回路２８は、ｃ１をインクリメントする（Ｓ２１３）。一方、ｃ１が最大チャンネルであれば（Ｓ２１２でＹｅｓ）、制御回路２８は、ｃ１＝チューナ２１により受信可能な最小チャンネルとする（Ｓ２１４）。その後、制御回路２８は、チャンネルｃ１でＴｓよりも後でｔ１よりも前に放送が始まる番組があるか否かを検索する。その検索の結果、そのような番組がある場合（Ｓ２１５でＹｅｓ）、制御回路２８は、ｔ１＝その番組の放送開始時刻とし（Ｓ２１６）、上記番組のチャンネルを次の基準チャンネル候補として記憶し、基準チャンネル候補を更新する（Ｓ２１７）。上記検索の結果、上記のような番組がない場合（Ｓ２１５でＮｏ）、後述のＳ２１８の処理に進む。
【００３６】
上述した検索処理が全チャンネルについて実行されて一巡し、ｃ１＝Ｃｓになったとする（Ｓ２１８でＹｅｓ）。そのとき、制御回路２８は、基準チャンネルＣｓを更新し、Ｃｓ＝記憶していた次の基準チャンネル候補とし（Ｓ２１９）、また、基準時刻Ｔｓも更新し、Ｔｓ＝ｔ１とする（Ｓ２２０）。ｃ１＝Ｃｓではない場合（Ｓ２１８でＮｏ）、処理はＳ２１２に戻る。
【００３７】
制御回路２８は、チャンネルがＣｓであって放送開始時刻がＴｓである番組が、設定グループに属しているか否かを判断する。上記番組が設定グループに属する場合（Ｓ２２１でＹｅｓ）、制御回路２８は、その番組のセルＣ２’にカーソルＣ１を移動し、カーソルＣ１によりその番組を選択する（Ｓ２２２）。上記番組が設定グループに属していない場合（Ｓ２２１でＮｏ）、処理はＳ２０５に戻る。
【００３８】
本実施形態においては、番組表Ｔ１内で、設定グループの番組のセルＣ２’が点在していたとしても、下向き矢印キー３１ｇを操作するだけで、カーソルＣ１が所定の移動順でそれらのセルＣ２’間を移動する。そのため、従来のように十字キーによりカーソルの移動先として上下左右のいずれかの方向を指定しなくても済み、操作が簡単になる。また、上向き矢印キー３１ｆを操作するだけで、カーソルＣ１が下向き矢印キー３１ｇによる操作時とは逆の順に移動するので、例えばユーザが下向き矢印キー３１ｇの操作によりカーソルＣ１を誤って移動させてしまった場合であっても、簡単な操作でカーソルＣ１を元の位置に戻すことができ、便利である。
【００３９】
また、番組表Ｔ１は、番組の放送開始時刻順及びチャンネル順に応じて番組のセルＣ２を順番に配置したものであり、カーソルＣ１は、番組の放送開始時刻順及びチャンネル順に従って、番組表Ｔ１内の番組のセルＣ２’間を移動する。従って、カーソルＣ１は、ユーザがカーソルＣ１を目で追い易い順番で番組表Ｔ１内を移動することになる。そのため、使い勝手が良くなる。また、カーソルＣ１は、番組のチャンネル順よりも番組の放送開始時刻順に優先的に従って、番組のセルＣ２’間を移動する。従って、この移動順は、チャンネル順よりも放送開始時刻順を優先して番組の情報を確認しようとするユーザの一般的な使い方と合致する。そのため、利便性がさらに高くなる。また、簡単な操作により、番組表Ｔ１内の予め設定されたジャンルの番組のセルＣ２’、録画予約された番組のセルＣ２’、及び視聴予約された番組のセルＣ２’のいずれかだけにカーソルＣ１を移動させることができる。
【００４０】
以下、本実施形態の各種変形例に係る表示制御装置について図面を参照して説明する。上記実施形態と同一の構成については、同一の符号を付す。また、上記実施形態との相違する点についてのみ説明する。
（第１の変形例）
第１の変形例に係る表示制御装置においては、カーソルキー３１ｃ及び決定キー３１ｄ（優先度設定手段）を操作することにより、番組表Ｔ１内でカーソルＣ１の移動先となり得る複数のグループを設定し、それらのグループの優先度を設定することが可能とされている。
【００４１】
ここで、番組表Ｔ１が表示された状態で、上述したサブメニューが表示されたとする。本変形例において、サブメニューは、カーソルＣ１による選択と決定キー３１ｄの操作とにより、番組のグループを単数であれ、複数であれ、任意に選択可能とされる。サブメニューは、上記選択を決定するための決定アイコンを含み、カーソルＣ１によるその決定アイコンの選択と決定キー３１ｄの操作とにより、上記選択が決定される。その決定の際、選択されたグループが複数である場合、制御回路２８は、各グループの優先度を設定するための優先度設定サブメニューをディスプレイ２５に表示させる。その優先度設定サブメニューには、選択された各グループと、それらグループの優先度とが含まれる。その優先度設定サブメニューでは、各グループが、例えば縦並びに表示され、カーソルキー３１ｃのうち、上向き矢印キー３１ｆ又は下向き矢印キー３１ｇの操作により、カーソルＣ１がグループ間を移動する。そして、左向き矢印キー３１ｈ又は右向き矢印キー３１ｉの操作により、カーソルＣ１により選択されたグループの優先度が優先度設定サブメニュー上で上昇又は低下する。決定キー３１ｄが操作されると、その優先度が決定される。制御回路２８は、その操作に基づいて、ディスプレイ２５における優先度設定サブメニューの表示を終了する。
【００４２】
図６は、制御回路２８におけるカーソルＣ１の移動順決定処理の手順を示し、図７は、番組表Ｔ１上のカーソルＣ１の移動順を示す。ここでは、番組表Ｔ１等がディスプレイ２５に表示され、上述したグループ及び優先度の設定が完了しているとする。その状態で、下向き矢印キー３１ｇが操作されたとする（Ｓ３０１でＹｅｓ）。複数の番組の放送開始時刻が互いに同じであって、それらの番組がそれぞれ複数の設定グループに属しているとする（Ｓ３０２でＹｅｓ）。その場合、制御回路２８は、それらの番組のセルＣ２’のうち、優先度の高い設定グループＰ１の番組のセルＣ２’から優先度の低い設定グループの番組Ｐ２のセルＣ２’に、カーソルＣ１を移動させる（Ｓ３０３；図７参照）。一方、互いに同じ時刻に放送を始める番組がないか、そのような番組があっても、各番組の属する設定グループが互いに同じ場合（Ｓ３０２でＮｏ）、制御回路２８は、チャンネル順及び放送開始時刻順に基づいて定められる上記移動順でカーソルＣ１を移動させる（Ｓ３０４）。
【００４３】
本変形例においては、複数の設定グループにそれぞれ属する複数の番組の放送開始時刻が互いに同じである場合、カーソルＣ１は、それらの番組のセルＣ２’のうち、優先度の高いグループの番組のセルＣ２’に先に移動するので、使い勝手がよくなる。
【００４４】
（第２の変形例）
図８は、第２の変形例に係る表示制御装置１における選局キー３１ａの構成を示す。選局キー３１ａは、チューナ２１（上記図１を参照）の受信チャンネルを設定するための１２個のチャンネルキー４１〜５２により構成される。チャンネルキー４１〜５２は、例えば、“１”〜“１２”にそれぞれ対応する。番組表Ｔ１がディスプレイ２５に表示された状態で、チャンネルキー４１〜５２のいずれかが操作されると、制御回路２８は、番組表Ｔ１の表示範囲の先頭時刻を、操作対象のチャンネルキーに対応する数に応じて変更するように指示されたと認識し、その認識した指示に従って番組表Ｔ１の表示範囲を変更する。本変形においては、チャンネルキー４１〜５２の操作により１２時間制で時刻が指定されることを想定し、番組表Ｔ１の時刻については２４時間制とする。
【００４５】
図９は、制御回路２８における番組表の表示範囲変更処理の手順を示す。番組表Ｔ１が表示された状態で（Ｓ４０１でＹｅｓ）、上記チャンネルキーのいずれかが操作されたとする（Ｓ４０２でＹｅｓ）。ここで、その操作されたチャンネルキーに対応する数をｉとする。
【００４６】
その操作が午前中（正午を含まない）になされた場合（Ｓ４０３でＹｅｓ）、制御回路２８は、ｉが現在時刻（時、分；例えば２時３分）の時Ｔｎ（例えば２）以上であれば（Ｓ４０４でＹｅｓ）、ｔ２＝ｉとし（Ｓ４０５）、一方、ｉがＴｎ未満であれば（Ｓ４０４でＮｏ）、ｔ２＝ｉ＋１２とする（Ｓ４０６）。Ｓ４０２の操作が午後（正午を含む）になされた場合（Ｓ４０３でＮｏ）、制御回路２８は、ｉがＴｎ以上であれば（Ｓ４０７でＹｅｓ）、ｔ２＝ｉ＋１２とし（Ｓ４０８）、一方、ｉがＴｎ未満であれば（Ｓ４０７でＮｏ）、ｔ２＝無効値とする（Ｓ４０９）。
【００４７】
その後、ｔ２が無効値でなければ（Ｓ４１０でＮｏ）、番組表Ｔ１のうち、表示範囲の先頭の時刻を、ｔ２時０分とする（Ｓ４１１）。このとき、カーソルＣ１は、例えば、上記チャンネルキーの操作前にカーソルＣ１があったチャンネルと同じチャンネルであって、表示範囲内で放送が最も早い番組のセルＣ２に配置される。一方、ｔ２が無効値である場合（Ｓ４１０でＹｅｓ）、制御回路２８は、ディスプレイ２５に「本日のその時間帯の番組は表示できません」といった内容を表示させる（Ｓ４１２）。制御回路２８は、ｉをメモリに記憶する（Ｓ４１３）。
【００４８】
次に、数ｉに対応するチャンネルキーが再度、操作されたとする（Ｓ４１４でＹｅｓ）。その場合、Ｓ４１５〜Ｓ４２４の処理が実行される。これらＳ４１５〜Ｓ４２４のうち、Ｓ４１７、Ｓ４１８、Ｓ４２０を除いた処理は、それぞれ、上述したＳ４０３〜Ｓ４１２のうち、Ｓ４０５、Ｓ４０６、Ｓ４０８を除いた処理と内容が同じである。Ｓ４１７、Ｓ４１８、Ｓ４２０の処理は、それらに対応するＳ４０５、Ｓ４０６、Ｓ４０８の処理と内容が異なっている。Ｓ４１７の処理では、ｔ２＝ｉ＋１２とされ、Ｓ４１８、Ｓ４２０の各処理では、ｔ２＝無効値とされる。
【００４９】
図１０は、上記表示範囲変更処理前の番組表Ｔ１の表示範囲の一例を示し、図１１（ａ）（ｂ）は、その表示範囲変更処理後の番組表Ｔ１の表示範囲の一例を示す。図１０に示されるように、現在時刻が２時（午前２時）であって、上記表示範囲変更処理前における番組表Ｔ１の表示範囲の先頭時刻も午前２時であったとする。そのとき、“５”のチャンネルキー４５が１回、操作されると、図１１（ａ）に示されるように、上記先頭時刻が５時（午前５時）になる。チャンネルキー４５がもう一度操作されると、図１１（ｂ）に示されるように、上記表示範囲の先頭時刻が１７時（午後５時）となる。
【００５０】
本変形例においては、番組表Ｔ１の表示中に、“１”〜“１２”に対応するチャンネルキー４１〜５２のいずれかを操作するだけで、操作されたチャンネルキーに対応する時刻から始まるように、番組表Ｔ１の表示範囲を変更することができる。従って、変更操作が簡単になる。
【００５１】
（第３の変形例）
第３の変形例の表示制御装置１は、上記第２の変形例と比べ、制御回路２８における番組表Ｔ１の表示範囲変更処理の内容が異なっている。上記第２の変形例では、番組表Ｔ１の表示範囲を、当日の範囲でしか変更できなかったが、第３の変形例では、１日後の範囲以降にも変更可能とされている。
【００５２】
図１２は、本変形例における番組表Ｔ１の表示範囲変更処理の手順を示す。番組表Ｔ１が表示された状態で（Ｓ５０１でＹｅｓ）、チャンネルキー４１〜５２のうち、同じチャンネルキーがｍ回、操作されたとする（Ｓ５０２でＹｅｓ）。ここで、その操作されたチャンネルキーに対応する数をｉとする。
【００５３】
そのときの現在時刻が午前の時刻である場合（Ｓ５０３でＹｅｓ）、制御回路２８は、ｉが現在時刻（時、分）の時Ｔｎ以上であれば（Ｓ５０４でＹｅｓ）、ｔ２＝ｉ＋１２×（ｍ−１）とし（Ｓ５０５）、一方、ｉがＴｎ未満であれば（Ｓ５０４でＮｏ）、ｔ２＝ｉ＋１２×ｍとする（Ｓ５０６）。現在時刻が午後の時刻である場合（Ｓ５０３でＮｏ）、制御回路２８は、ｉがＴｎ以上であれば（Ｓ５０７でＹｅｓ）、ｔ２＝ｉ＋１２×ｍとし（Ｓ５０８）、一方、ｉがＴｎ未満であれば（Ｓ５０７でＮｏ）、ｔ２＝ｉ＋１２×（ｍ＋１）とする（Ｓ５０９）。
【００５４】
制御回路２８は、ｔ２を２４で除算して得られる商Ｑと余りＲとを算出し（Ｓ５１０）、ｔ２＝Ｒとする（Ｓ５１１）。そして、制御回路２８は、番組表のうち、表示範囲の先頭の時刻を、Ｑ日後のｔ２時０分とする（Ｓ５１２）。
【００５５】
本変形例においては、上記第２の変形例と同等の効果を得ることができる。また、番組表Ｔ１の表示可能範囲を当日以降の範囲にまで拡張することができ、便利になる。
【００５６】
（第４の変形例）
第４の変形例の表示制御装置１は、上記第２の変形例と比べ、制御回路２８における番組表Ｔ１の表示範囲変更処理の内容が異なっている。上記第３の変形例では、番組表Ｔ１の表示範囲を変更するにあたって、その基準を現在時刻としていたが、第４の変形例では、カーソルＣ１により選択中の番組の放送開始時刻とする。
【００５７】
図１３は、本変形例における番組表Ｔ１の表示範囲変更処理の手順を示す。その表示範囲変更処理は、Ｓ６０１〜Ｓ６１２の処理により構成される。それらＳ６０１〜Ｓ６１２の処理は、上記第３の変形例におけるＳ５０１〜Ｓ５１２の処理（上記図１２を参照）において、「現在時刻」を「カーソルＣ１により選択中の番組の放送開始時刻」に変更し、Ｔｎを「その放送開始時刻（時、分）の時」に変更したものである。
【００５８】
本変形例においては、上記第３の変形例と同等の効果を奏する。
【００５９】
なお、本発明は、上記の実施形態及び各変形例の構成に限定されるものでなく、使用目的に応じ、様々な変形が可能である。例えば、表示制御装置１は、ディスプレイ２５とは別体に設けられ、それらが互いに電気的に接続されていてもよい。また、表示制御装置１は、装置本体２に内蔵の記憶媒体又は外部の記憶媒体に記憶された映像信号の再生機能を備え、リモコン３は、その再生を早送りするための早送りキーと、その再生を巻き戻しするための巻き戻しキーとを有していてもよい。その場合、早送りキーの操作により、下向き矢印キー３１ｇと同様にカーソルＣ１を移動可能とされ、また、巻き戻しキーの操作により、上向き矢印キー３１ｆと同様にカーソルＣ１を移動可能とされていても構わない。
【００６０】
また、図１４に示されるように、制御回路２８は、ディスプレイ２５に、互いに同じ時間帯の異なる日の番組表Ｔ１を併せて表示してもよい。また、表示制御装置１は、ＢＳ放送信号及びＣＳ放送信号を受信可能に構成されており、図１５に示されるように、制御回路２８は、ディスプレイ２５に、テレビジョン放送の番組表Ｔ１だけでなく、ＢＳ放送の番組表Ｔ２及びＣＳ放送の番組表Ｔ３も併せて表示してもよい。
【００６１】
また、上記第１の変形例において、制御回路２８は、番組表Ｔ１上でカーソルＣ１の移動先となり得る番組のグループとして、複数のジャンルが設定されるとき、それらのジャンルについて、予約視聴又は予約録画の多い順に優先度を自動設定してもよい。その場合、優先度を設定するための手間を省くことができる。
【符号の説明】
【００６２】
１  表示制御装置
２  装置本体
２５  ディスプレイ（表示手段）
２８  制御回路（制御手段）
３  リモートコントローラ
３１ｃ  カーソルキー（優先度設定手段を構成）
３１ｄ  決定キー（設定手段を構成、優先度設定手段を構成）
３１ｆ  上向き矢印キー（設定手段を構成、第１の操作手段）
３１ｇ  下向き矢印キー（設定手段を構成、第２の操作手段）
Ｃ１  カーソル
Ｃ２、Ｃ２’  セル
Ｔ１  放送番組表
【図１】
2014107822.tif 000003
【図３】
2014107822.tif 000004
【図５】
2014107822.tif 000005
【図６】
2014107822.tif 000006
【図８】
2014107822.tif 000007
【図９】
2014107822.tif 000008
【図１２】
2014107822.tif 000009
【図１３】
2014107822.tif 000010
【図２】
2014107822.tif 000011
【図４】
2014107822.tif 000012
【図７】
2014107822.tif 000013
【図１０】
2014107822.tif 000014
【図１１】
2014107822.tif 000015
【図１４】
2014107822.tif 000016
【図１５】
2014107822.tif 000017